(57)【要約】      （修正有）【課題】可動鉄心とガイドパイプの摩擦で可動鉄心の振動を抑制することなく、うなり音を低減できるようにする。【解決手段】外周にコイル１を巻回したボビン２と、ボビンを挟持する第１と第２の一対の支持板３１，３２を有するフレーム３と、ボビンの内周に挿通されるガイドパイプ４と、第１支持板に、ガイドパイプの尾端部の内周に挿入した状態で固定される固定鉄心５と、ガイドパイプ内に摺動自在に挿入される可動鉄心６と、可動鉄心の先端に取り付けられる弁体７とを備える電磁弁において、ボビン２の内周に、ガイドパイプ４との間の隙間を埋める筒状のスペーサ８を設ける。好ましくは、ボビン２の内周に尾端側と先端側から挿入される第１と第２の両カラー３４，３５間にスペーサ８が介設され、両カラー３４，３５によりスペーサ８が圧縮されるようにする。【選択図】図１
2010114151.tif 000002
【特許請求の範囲】
【請求項１】
外周にコイルを巻回したボビンと、ボビンの軸方向尾端に対向する第１支持板とボビンの軸方向先端に対向する第２支持板とを有し、第１支持板と第２支持板との間にボビンを挟持するフレームと、ボビンの内周に挿通されるガイドパイプと、第１支持板に、ガイドパイプの軸方向尾端部の内周に挿入した状態で固定される固定鉄心と、ガイドパイプの内周に軸方向先端側から摺動自在に挿入される可動鉄心と、可動鉄心の軸方向先端に取り付けられる弁体とを備える電磁弁において、
ボビンの内周に、ガイドパイプとの間の隙間を埋める筒状のスペーサが設けられていることを特徴とする電磁弁。
【請求項２】
請求項１記載の電磁弁であって、前記第１支持板と前記第２支持板とは別体であり、第１支持板と第２支持板との一方の支持板に他方の支持板側にのびる側板部が形成され、この側板部の先端を他方の支持板にかしめ付けることにより、第１支持板と第２支持板との間に前記ボビンを挟持するものにおいて、
ボビンと前記ガイドパイプとの間の隙間に軸方向尾端側から第１支持板に押されて挿入される第１カラーと、ボビンとガイドパイプとの間の隙間に軸方向先端側から第２支持板に押されて挿入される第２カラーとを備え、第１と第２の両カラー間に前記スペーサが介設され、前記側板部の先端を前記他方の支持板にかしめ付ける際に、両カラーによりスペーサが圧縮されることを特徴とする請求項１記載の電磁弁。
【発明の詳細な説明】
【技術分野】
【０００１】
本発明は、ガス器具等で使用する電磁弁に関する。
【背景技術】
【０００２】
この種の電磁弁は、外周にコイルを巻回したボビンと、ボビンの軸方向尾端に対向する第１支持板とボビンの軸方向先端に対向する第２支持板とを有し、第１支持板と第２支持板との間にボビンを挟持するフレームと、ボビンの内周に挿通されるガイドパイプと、第１支持板に、ガイドパイプの軸方向尾端部の内周に挿入した状態で固定される固定鉄心と、ガイドパイプの内周に軸方向先端側から摺動自在に挿入される可動鉄心と、可動鉄心の軸方向先端に取り付けられる弁体とを備えている。弁体(可動鉄心)は軸方向先方の閉弁側にばねで付勢されており、コイルに通電したとき、固定鉄心に発生する磁気吸引力により可動鉄心が軸方向尾方の開弁側に動く。また、固定鉄心の先端にはテーパ状の突起が形成され、可動鉄心の尾端には突起に対応するテーパ状の凹孔が形成されている。
【０００３】
ところで、このような電磁弁のコイルに交流の商用電源を半波整流または全波整流して通電すると、うなり音を生ずる。その原因は、整流波形の谷部において固定鉄心による吸引力が低下して、可動鉄心が軸方向先方に動き、整流波形の山部において固定鉄心による吸引力が増加して、可動鉄心が軸方向尾方に動き、この繰り返しで可動鉄心が軸方向に振動して、ガイドパイプが共振するためである。
【０００４】
従来、上記うなり音を低減できるようにした電磁弁として特許文献１記載のものが知られている。この電磁弁では、固定鉄心をその軸線がガイドパイプの軸線に斜交するように配置している。これによれば、可動鉄心が固定鉄心に吸引されるときに、可動鉄心の凹孔の内面が可動鉄心の突起の外面に片当たりし、可動鉄心がガイドパイプ内で傾く。そのため、ガイドパイプの先端部内面の周方向一側部に可動鉄心が当接し、この当接部での摩擦抵抗により整流波形の谷部における可動鉄心の軸方向先方への動きが抑制され、可動鉄心の振動が防止される。
【０００５】
然し、上記従来例は、可動鉄心とガイドパイプの摩擦で可動鉄心の振動を抑制するものであるため、可動鉄心の摩耗が発生して、耐久性が悪くなり、更に、可動鉄心を吸引する力(吸引力)を多く必要とし、消費電力が増大する不具合がある。
【特許文献１】特開２０００−１３０６３０号公報
【発明の開示】
【発明が解決しようとする課題】
【０００６】
本発明は、以上の点に鑑み、可動鉄心とガイドパイプの摩擦で可動鉄心の振動を抑制することなく、うなり音を低減できるようにした電磁弁を提供することをその課題としている。
【課題を解決するための手段】
【０００７】
上記課題を解決するために、本発明は、外周にコイルを巻回したボビンと、ボビンの軸方向尾端に対向する第１支持板とボビンの軸方向先端に対向する第２支持板とを有し、第１支持板と第２支持板との間にボビンを挟持するフレームと、ボビンの内周に挿通されるガイドパイプと、第１支持板に、ガイドパイプの軸方向尾端部の内周に挿入した状態で固定される固定鉄心と、ガイドパイプの内周に軸方向先端側から摺動自在に挿入される可動鉄心と、可動鉄心の軸方向先端に取り付けられる弁体とを備える電磁弁において、ボビンの内周に、ガイドパイプとの間の隙間を埋める筒状のスペーサが設けられていることを特徴とする。
【０００８】
本発明によれば、スペーサがガイドパイプの外周面に当接して、ガイドパイプの振動が抑制される。従って、可動鉄心が振動しても、ガイドパイプが共振することをスペーサにより抑制でき、うなり音が低減される。そのため、可動鉄心の振動を可動鉄心とガイドパイプの摩擦で抑制する必要がなく、耐久性の悪化や消費電力の増大といった従来例の不具合を解消できる。
【０００９】
ところで、第１支持板と第２支持板とを別体とし、第１支持板と第２支持板との一方の支持板に他方の支持板側にのびる側板部が形成され、この側板部の先端を他方の支持板にかしめ付けることにより、第１支持板と第２支持板との間にボビンを挟持することがある。この場合、ボビンとガイドパイプとの間の隙間に軸方向尾端側から第１支持板に押されて挿入される第１カラーと、ボビンとガイドパイプとの間の隙間に軸方向先端側から第２支持板に押されて挿入される第２カラーとを備え、第１と第２の両カラー間にスペーサが介設され、側板部の先端を他方の支持板にかしめ付ける際に、両カラーによりスペーサが圧縮されるようにすることが望ましい。
【００１０】
これによれば、ボビンとガイドパイプとの間の隙間へのスペーサの挿入を容易にするため、スペーサの外径をボビンの内径より若干小径にすると共に、スペーサの内径をガイドパイプの外径より若干大径としても、スペーサの圧縮でガイドパイプの外周面にスペーサが圧接して、ガイドパイプの振動が確実に抑制される。
【発明を実施するための最良の形態】
【００１１】
図１は本発明の実施形態の電磁弁を示している。この電磁弁は、ガス器具のガス供給路に介設され、ガスバーナへのガス供給をオンオフ制御する。
【００１２】
電磁弁は、外周にコイル１を巻回した合成樹脂製のボビン２と、ボビン２を支持する磁性金属製のフレーム３と、ボビン２の内周に挿通される非磁性金属製のガイドパイプ４と、ガイドパイプ４の軸方向尾端部(上端部)の内周に挿入される固定鉄心５と、ガイドパイプ４の内周に軸方向先端(下端)側から摺動自在に挿入される可動鉄心６と、可動鉄心６の軸方向先端に取り付けた弁体７とを備えている。
【００１３】
ボビン２は、軸方向尾端のフランジ部２１と、軸方向先端のフランジ部２２とを有しており、両フランジ部２１，２２間にコイル１が巻回されている。また、フランジ部２１には、コイル１に対する配線空間となる凹部２３が形成されている。
【００１４】
フレーム３は、ボビン２の軸方向尾端のフランジ部２１に対向する第１支持板３１と、第１支持板３１とは別体で、ボビン２の軸方向先端のフランジ部２２に対向する第２支持板３２とを有している。第１支持板３１には、ボビン２の径方向外方で第２支持板３２側にのびる一対の側板部３３が形成されている。そして、各側板部３３の先端（下端）に形成した側面視二股形状のかしめ部３３ａを第２支持板３２に形成した孔に挿通して、第２支持板３２にかしめ付けることにより、第１支持板３１と第２支持板３２との間にボビン２を挟持する。
【００１５】
フレーム３には、更に、ボビン２とガイドパイプ４との間の隙間に軸方向尾端側から第１支持板３１に押されて挿入される磁性金属製の第１カラー３４と、ボビン２とガイドパイプ４との間の隙間に軸方向先端側から第２支持板３２に押されて挿入される第２カラー３５とが付設されている。これらカラー３４，３５により磁気効率が向上して、コイル１への通電時に固定鉄心５に発生する磁気吸引力が強化される。尚、本実施形態では、第２カラー３５が第２支持板３２に一体成形されているが、第２カラー３５を第２支持板３２と別体とすることも可能である。
【００１６】
ガイドパイプ４は、その軸方向先端に、第２支持板３２の外面(下面)に当接するフランジ部４１が形成され、軸方向尾端に、径方向内方に屈曲して第１支持板３１の内面(下面)に当接する当接部４２が形成されている。
【００１７】
固定鉄心５の軸方向尾端寄りの部分には、ガイドパイプ４の当接部４２との間にＯリング４３を挟み込む第１の肩部５１と、第１支持板３１の内面に当接する第２の肩部５２と、第１支持板３１に形成した孔に挿通される軸部５３とが形成されている。そして、孔から突出する軸部５３を押し潰すことにより、固定鉄心５を第１支持板３１に固定している。
【００１８】
また、固定鉄心５の軸方向先端には、軸方向先方(下方)に向けて縮径するテーパ状の突起５４が形成され、可動鉄心６の軸方向尾端には、突起５４に対応するテーパ状の凹孔６１が形成されている。更に、凹孔６１の底部には、固定鉄心５に可動鉄心６が吸引されたときの衝撃を緩衝するゴム製の緩衝部材６２が装着されている。
【００１９】
可動鉄心６の軸方向先端に取り付けた弁体７は、ばね７１で軸方向先方(下方)に付勢されている。そして、常時は、弁体７が図示省略した弁座にばね７１の付勢力で着座して、電磁弁は閉弁状態になる(図１に示す状態)。コイル１に通電すると、固定鉄心５に磁気吸引力が発生し、図２に示す如く、可動鉄心６がばね７１の付勢力に抗して軸方向尾方(上方)に動き、弁体７が弁座から離れて、電磁弁は開弁状態になる。
【００２０】
ところで、コイル１に交流の商用電源を半波整流または全波整流して通電すると、整流波形の谷部において固定鉄心５の吸引力が低下して、可動鉄心６が軸方向先方に動き、整流波形の山部において固定鉄心５の吸引力が増加して、可動鉄心６が軸方向尾方に動き、この繰り返しで可動鉄心６が軸方向に振動する。そして、可動鉄心６の振動でガイドパイプ４が共振すると、うなり音が発生する。
【００２１】
ここで、ボビン２とガイドパイプ４との間の隙間には、第１と第２の両カラー３４，３５が挿入されているが、各カラー３４，３５とガイドパイプ４との間には、微少ではあっても挿入クリアランスが存在するため、各カラー３４，３５でガイドパイプ４の振動を抑制することはできない。また、カラー３４，３５を省略し、ボビン２の内径をカラー３４，３５の分だけ小径化しても、ボビン２とガイドパイプ４との間には挿入クリアランスを確保する必要があるため、ガイドパイプ４の振動を抑制することはできない。
【００２２】
そこで、本実施形態では、ボビン２の内周に、第１カラー３４と第２カラー３５との間に介設した状態で、ガイドパイプ４との間の隙間を埋めるスペーサ８を設けている。尚、スペーサ８は、ゴムや熱可塑性エラストマー(例えば、ポリエステルエラストマー)等の軟質樹脂で形成される。
【００２３】
このようにスペーサ８を設ければ、ガイドパイプ４の外周面にスペーサ８が当接して、ガイドパイプ４の振動が抑制され、うなり音が低減される。そのため、可動鉄心６の振動を可動鉄心６とガイドパイプ４の摩擦で抑制する必要がなく、耐久性の悪化や消費電力の増大といった上記従来例の不具合を解消できる。
【００２４】
更に、本実施形態では、第１支持板３１の側板部３３の先端のかしめ部３３ａを第２支持板３２にかしめ付ける際に、第１と第２の両カラー３４，３５によりスペーサ８が圧縮されるようにしている。これによれば、ボビン２とガイドパイプ４との間の隙間へのスペーサ８の挿入を容易にするため、スペーサ８の外径をボビン２の内径より若干小径にすると共に、スペーサ８の内径をガイドパイプ４の外径より若干大径としても、スペーサ８の圧縮でガイドパイプの外周面にスペーサ８が圧接して、ガイドパイプ４の振動が確実に抑制される。そのため、うなり音を確実に低減できる。
【００２５】
以上、本発明の実施形態について図面を参照して説明したが、本発明はこれに限定されない。例えば、上記実施形態では、フレーム３の第１支持板３１に第２支持板３２側にのびる側板部３３を形成したが、第２支持板３２に第１支持板３１側にのびる側板部を形成してもよい。更に、上記実施形態では、第１支持板３１と第２支持板３２とを別体としたが、第１支持板と第２支持板とが一体化されたＣ形のフレームを用いることも可能である。また、上記実施形態では、第１と第２の両カラー３４，３５間でスペーサ８が圧縮されるようにしたが、両カラー３４，３５を省略し、ボビン２とガイドパイプ４との間の隙間にスペーサ８を圧入してもよい。また、上記実施形態は、ガス器具で使用する電磁弁に本発明を適用したものであるが、ガス器具以外で使用する電磁弁にも本発明は広く適用できる。
【図面の簡単な説明】
【００２６】
【図１】本発明の実施形態の電磁弁を示す縦断面図。
【図２】実施形態の電磁弁の開弁状態の縦断面図。
【符号の説明】
【００２７】
１…コイル、２…ボビン、３…フレーム、３１…第１支持板、３２…第２支持板、３３…側板部、３４…第１カラー、３５…第２カラー、４…ガイドパイプ、５…固定鉄心、６…可動鉄心、７…弁体、８…スペーサ。
【図１】
2010114151.tif 000003
【図２】
2010114151.tif 000004